(57)【要約】      （修正有）【課題】使いやすく、視認性も向上する測定器を提供する。【解決手段】測定器１００は、外部からの物理的接触による入力を受け付けるとともに表示機能を有するタッチパネル表示部１３０を備えている。タッチパネル表示部１３０には、測定結果が表示されることの他、詳細な入力操作を行うための複数の操作アイコン１４２−１４４が表示される。タッチパネル表示部１３０に表示された複数の操作アイコン１４２−１４４を選んでタッチすることにより測定モードの選択が可能になるなど、使いやすさ、見やすさの点で優れた測定器を提供できる。【選択図】図１
2013185990.tif 000002
【特許請求の範囲】
【請求項１】
外部からの物理的接触による入力を受け付けるとともに表示機能を有するタッチパネル表示部を備えた
ことを特徴とする測定器。
【請求項２】
請求項１に記載の測定器において、
前記タッチパネル表示部は、
当該測定器で測定する際の詳細な入力操作を行うための複数の操作アイコンと、当該測定器による測定結果と、を表示する
ことを特徴とする測定器。
【請求項３】
請求項２に記載の測定器において、
測定対象物または測定方法の違いに応じた複数の測定モードが予め用意されており、
前記複数の測定モードに対応した前記複数の操作アイコンがそれぞれ用意され、
前記タッチパネル表示部に表示された前記複数の操作アイコンを選んでタッチすることにより、測定モードの選択が可能になっている
ことを特徴とする測定器。
【請求項４】
請求項１から請求項３のいずれかに記載の測定器において、
測定対象物または測定方法の違いに応じたいくつかの測定モードが予め用意されており、
前記複数の操作アイコンは、前記測定モードごとにグループ化および階層化され、選択された測定モードに応じた一群の操作アイコンをタッチパネル表示部のモード選択メニュー画面に表示する
ことを特徴とする測定器。
【請求項５】
請求項１から請求項４のいずれかに記載の測定器において、
ユーザが測定器を使用する向きに応じて、タッチパネル表示部の表示の向きが変更可能である
ことを特徴とする測定器。
【請求項６】
請求項１から請求項５のいずれかに記載の測定器において、
当該測定器が有する機械式押しボタンスイッチは一つ以下である
ことを特徴とする測定器。
【請求項７】
請求項１から請求項６のいずれかに記載の測定器において、
当該測定器は、機械式押しボタンスイッチを有していない
ことを特徴とする測定器。
【請求項８】
請求項１から請求項７のいずれかに記載の測定器において、
さらに、太陽電池を有する
ことを特徴とする測定器。
【請求項９】
請求項８に記載の測定器において、
前記太陽電池は、前記タッチパネル表示部の背面側に設けられている
ことを特徴とする測定器。
【請求項１０】
請求項８に記載の測定器において、
前記太陽電池は、前記タッチパネル表示部の正面側に設けられている
ことを特徴とする測定器。
【請求項１１】
請求項１から請求項１０のいずれかに記載の測定器において、
前記測定器は、ダイヤルゲージ、ノギスおよびマイクロメータのうちのいずれかである
ことを特徴とする測定器。
【請求項１２】
請求項１から請求項１０のいずれかに記載の測定器において、
前記測定器は、ハイトゲージである
ことを特徴とする測定器。
【発明の詳細な説明】
【技術分野】
【０００１】
本発明は測定器に関する。具体的には、タッチパネルを備えた測定器に関する。
【背景技術】
【０００２】
距離、長さ、角度などを測定する電子式の測定器が種々知られている。例えば、ノギス、マイクロメータ、ダイヤルゲージ、などがある（特許文献１、特許文献２、特許文献３）。高機能化の要請に応じ、測定器に様々な機能を持たせるようになってきている。
便利になってきている一方で様々な課題も生じてきている。
【先行技術文献】
【特許文献】
【０００３】
【特許文献１】特開２００３−３４４００３号公報
【特許文献２】特開２００３−３４４００２号公報
【特許文献３】国際公開ＷＯ０１／０５５６６７号
【発明の概要】
【発明が解決しようとする課題】
【０００４】
従来、電子式の測定器では、機械的な押しボタン式のスイッチを設けている。しかし、ノギスやマイクロメータといったスモールツールでは大きさの制限もあるため、スイッチの数を多くすることも難しい。
一方、少ない数のスイッチで様々な機能の選択操作を行うとなると、複雑な操作をユーザに強いることになる。例えば、スイッチを押す順番や時間（例えば長押し）を様々に組み合わせるなど、各種の機能や測定モードごとにスイッチ操作を用意することになる。ユーザとしてはこのような複雑な手順を覚えたり、指定された通りにスイッチを押したりするなどは面倒なことであり、測定効率も下がってしまうことになる。したがって、測定器の大きさと使い易さを考慮して、測定器に付加する機能を制限せざるを得ないということになる。
【０００５】
また、機械的なスイッチを設けるには、スイッチ用の孔が必要である。すると、密閉性を確保するのが難しくなり、密閉性を保つためにパッキンを設けるとコストアップが生じる。また、押しボタンを表面に設けると、全体的に厚みが厚くなってしまうという問題もある。
【０００６】
また、小さな測定器の表面上にスイッチを設けるスペースをとるとなると、その分、表示部を設けるスペースが小さくなってしまうという問題もある。
【課題を解決するための手段】
【０００７】
本発明の測定器は、
外部からの物理的接触による入力を受け付けるとともに表示機能を有するタッチパネル表示部を備えた
ことを特徴とする。
【０００８】
本発明では、
前記タッチパネル表示部は、
当該測定器で測定する際の詳細な入力操作を行うための複数の操作アイコンと、当該測定器による測定結果と、を表示する
ことが好ましい。
【０００９】
本発明では、
測定対象物または測定方法の違いに応じた複数の測定モードが予め用意されており、
前記複数の測定モードに対応した前記複数の操作アイコンがそれぞれ用意され、
前記タッチパネル表示部に表示された前記複数の操作アイコンを選んでタッチすることにより、測定モードの選択が可能になっている
ことが好ましい。
【００１０】
本発明では、
測定対象物または測定方法の違いに応じたいくつかの測定モードが予め用意されており、
前記複数の操作アイコンは、前記測定モードごとにグループ化および階層化され、選択された測定モードに応じた一群の操作アイコンをタッチパネル表示部のモード選択メニュー画面に表示する
ことが好ましい。
【００１１】
本発明では、
ユーザが測定器を使用する向きに応じて、タッチパネル表示部の表示の向きが変更可能である
ことが好ましい。
【００１２】
本発明では、
当該測定器が有する機械式押しボタンスイッチは一つ以下である
ことが好ましい。
【００１３】
本発明では、
当該測定器は、機械式押しボタンスイッチを有していない
ことが好ましい。
【００１４】
本発明では、
さらに、太陽電池を有する
ことが好ましい。
【００１５】
本発明では、
前記測定器は、ダイヤルゲージ、ノギスおよびマイクロメータのうちのいずれかである
ことが好ましい。
【００１６】
本発明では、
前記測定器は、ハイトゲージである
ことが好ましい。
【発明の効果】
【００１７】
このような構成によれば、タッチパネル表示部を採用したので、操作性および視認性をともに向上させることができる。
【図面の簡単な説明】
【００１８】
【図１】ダイヤルゲージの正面図。
【図２】ダイヤルゲージの横向き使用状態を示す図。
【図３Ａ】表示向きを変更する操作を説明するための図。
【図３Ｂ】表示向きを変更する操作を説明するための図。
【図４Ａ】表示アイコンを選択する操作を説明するための図。
【図４Ｂ】表示アイコンを選択する操作を説明するための図。
【図４Ｃ】表示アイコンを選択する操作を説明するための図。
【図５Ａ】ダイヤルゲージに測定治具を取り付けた状態を示す図。
【図５Ｂ】ダイヤルゲージに測定治具を取り付けた状態を示す図。
【図５Ｃ】ダイヤルゲージに測定治具を取り付けた状態を示す図。
【図５Ｄ】ダイヤルゲージに測定治具を取り付けた状態を示す図。
【図６Ａ】測定治具を用いてワークを測定する様子を示す図。
【図６Ｂ】測定治具を用いてワークを測定する様子を示す図。
【図６Ｃ】測定治具を用いてワークを測定する様子を示す図。
【図６Ｄ】測定治具を用いてワークを測定する様子を示す図。
【図６Ｅ】測定治具を用いてワークを測定する様子を示す図。
【図７】測定治具に応じた各種の演算式を示す図。
【図８Ａ】測定治具の選択操作を説明するための図。
【図８Ｂ】測定治具の選択操作を説明するための図。
【図８Ｃ】測定治具の選択操作を説明するための図。
【図９】変形例１として、モジュールの積層構造を示す図。
【図１０】測定器としてのマイクロメータを示す図。
【図１１】マイクロメータの表示向きを変更した状態を示す図。
【図１２】マイクロメータを右手で使用している状態を示す図。
【図１３】マイクロメータを左手で使用している状態を示す図。
【図１４】タッチパネル部の回転動作を示す図。
【図１５】測定器としてのノギスを示す図。
【図１６】測定器としてのハイトゲージを示す図。
【図１７】ハイトゲージの表示操作部の正面図。
【図１８】様々なタイプの測定治具の例を示す図。
【図１９】様々な測定項目を示す図。
【図２０】測定項目の選択画面を示す図。
【発明を実施するための形態】
【００１９】
以下、図面を参照して本発明の実施の形態について説明する。
（第１実施形態）
第１実施形態として、タッチパネル表示部を有するダイヤルゲージ１００を説明する。
図１は、ダイヤルゲージ１００の正面図である。
ダイヤルゲージ１００は、筐体部１１０と、スピンドル１２０と、タッチパネル表示部１３０と、を備える。
筐体部１１０は、全体として円筒形状であり、円形の正面板１１１と、円形の裏面板と、筒状の側板と、を有する。（なお、図は正面図であるので、裏面板と側板とは図面上に表れていない。）
【００２０】
これら正面板１１１、裏面板および側板によって、電子回路を収納する収納空間が筐体部１１０の内部に画成されている。
電子回路としては、スピンドル１２０の移動量を検出するエンコーダ、各種演算手段、タッチパネル表示部１３０からの入力操作を検出する入力検出手段、タッチパネル表示部１３０の表示を駆動する表示駆動手段、などがある。
【００２１】
スピンドル１２０は、筐体部１１０の側板を貫通し、軸方向に移動可能に設けられている。スピンドル１２０の移動量は、エンコーダによって検出され、各種演算処理が加えられた後、タッチパネル表示部１３０に表示される。
【００２２】
タッチパネル表示部１３０は、筐体部１１０の正面板１１１に設けられている。
タッチパネル表示部１３０のフロント透明板１３１の面積でいうと、フロント透明板１３１の面積は、正面板１１１の面積の約８０％以上を占めている。タッチパネル表示部１３０の額縁１３２の部分を除いても、表示に使用できる面積は、正面板１１１の面積の約７０％以上を占める。
また、タッチパネル表示部１３０が正面板１１１のほとんどの面積を占めており、正面板１１１にはその他の押しボタンなどは設けられていない。これは、タッチパネル表示部１３０をタッチすることによって入力操作を行うので、操作用の機械式押しボタンは必要無いからである。
【００２３】
（表示向きの変更操作）
次に、タッチパネル表示部１３０を用いた入力操作例と、入力操作による表示の遷移例と、を説明する。
図１の状態では、ダイヤルゲージ１００を縦に使用しているので、タッチパネル表示部１３０の表示も縦向きである。
ここで、ダイヤルゲージ１００のようなスモールツールでは、向きを変えて使用する場面も多い。例えば、図２のように、ダイヤルゲージ１００自体を横向きにして使用したい場合がしばしばある。このような場合に表示方向を切り換えるには、次のように入力操作を行う。
【００２４】
図３Ａは、ダイヤルゲージ１００を縦向きに使用している場合の表示状態である。
タッチパネル表示部１３０には、中央部に大きく測定結果１４１が表示されることに加えて、アイコン１４２、１４３、１４４が表示されている。
この図３Ａの表示画面を、"メイン表示画面"と称する。
メイン表示画面は、測定作業時に使用するものであって、中央部に測定結果１４１が表示されるものである。
ここでは、タッチパネル表示部１３０の表示領域の下部に三つのアイコン１４２、１４３、１４４が表示されている。すなわち、電源操作のためのＯＮ／ＯＦＦアイコン１４２と、モード選択のためのＭＯＤＥアイコン１４３と、ゼロセットのためのＯＲＩＧＩＮアイコン１４４と、が表示されている。
ここで、表示画面の切り換えを行うため、ＭＯＤＥアイコン１４３をタッチする。すると、表示画面は、図３Ｂのモード選択メニューの画面に遷移する。
【００２５】
モード選択メニュー画面には、各種のモードが用意されている。
ここでは、オートオン／オフ選択１４３Ａ、表示アイコン選択１４３Ｂ、表示分解能選択１４３Ｃ、表示方向切り替え１４３Ｄ、文字サイズ選択１４３Ｅ、が用意されている。すべてのメニューを一つの画面に収められない場合には、次の画面を用意しておき、画面切り換え用の次アイコン１４３Ｆを用意しておく。
【００２６】
そして、"表示方向切り替え"１４３Ｄをタッチして選択する。すると、図２のように、表示方向が縦から横に切り替わる。
タッチパネル表示部１３０を採用したことにより表示画面が従来に比べて格段に大きくなったことから、縦向きでも横向きでも測定値を表示することができるようになった。そして、タッチパネル表示部130によるタッチ入力操作が可能になったので、表示向きを替えるような操作も極めて簡単である。
【００２７】
（表示アイコンの選択操作）
さらに、図３Ａでは、三つのアイコン１４２、１４３、１４４をメイン表示画面に表示していたが、測定態様によっては、もっと多くのアイコンを表示させて、測定作業中に各種の機能を使用したい場合がある。
このような場合には、図４Ａのように、モード選択メニュー画面において"表示アイコン選択"１４３Ｂをタッチする。すると、図４Ｂのように、表示アイコンを選択するメニュー画面に遷移する。ここで、画面に表示させたいアイコンを選んでタッチする。すると、図４Ｃのように、選んだアイコンをメイン表示画面に表示させることができる。
【００２８】
（測定治具の選択操作）
さらに、ダイヤルゲージ１００には様々なアタッチメント（測定治具）１５０Ａ、１５０Ｂ、１５０Ｃ、１５０Ｄを付けることによって、様々なワーク（被測定物）に対応した測定を行うことができる。
いくつか例を挙げる。
例えば、ダイヤルゲージ１００を隙間ゲージとして用いることができる。
図５Ａの測定治具１５０では測定子１２１Ａが円錐になっており、図５Ｂでは測定子１２１Ｂが球になっている。このような測定子１２１Ａ、１２１Ｂを用いることにより、例えば、図６Ａや図６Ｂのように、リベット穴を測定することができる。ダイヤルゲージ１００による測定量Ｘを所定の演算式で換算することより、口元径Ｄや皿もみ深さＨを求めることができる。
【００２９】
または、ダイヤルゲージ１００を馬乗りゲージとして用いることができる。
図５Ｃの測定治具１５０Ｃは、内面が直線的な二股となっており、図５Ｄの測定治具１５０Ｄは、ワークに接触する接触子が球となっている。このような測定治具１５０Ｃ、１５０Ｄを使用することにより、例えば、図６Ｃ、図６Ｄ、図６Ｅのように、曲率を持ったワークを測定することができる。ダイヤルゲージ１００による測定量Ｘを所定の演算式で換算することにより、ワークの曲率半径Ｒを求めることができる。
【００３０】
ここで、図７に示すように、それぞれの測定治具１５０Ａ−１５０Ｄに応じて演算式（１）−（６）が用意され、各演算式（１）−（６）の係数Ａ、Ｂ、Ｃが設定されている。よって、測定治具１５０Ａ−１５０Ｄを取り替えた場合には、どの測定治具１５０Ａ−１５０Ｄを用いているのかをダイヤルゲージ１００に設定入力しなければならない。
一方、使用している測定治具１５０Ａ−１５０Ｄの種類をダイヤルゲージ１００に設定しておきさえすれば、ダイヤルゲージ１００の演算機能が自動的に換算演算を実行する。
すると、タッチパネル表示部１３０には換算値として口元径Ｄ、皿もみ深さＨあるいは曲率半径Ｒが表示されるようになる。
したがって、ユーザが自分で測定値から換算して口元径Ｄ、皿もみ深さＨあるいは曲率半径Ｒを求める手間は不要になる。
【００３１】
測定治具１５０Ａ−１５０Ｄの種別の選択にあたっては、図８Ａのモード選択メニューの中から"ゲージ選択メニュー"を選ぶ。そして、図５Ｄの球付きの馬乗りゲージ１５０Ｄを使用する場合であれば、図８Ｂで馬乗りゲージを選択し、続いて、図８Ｃのように脚が球であることを選択する。
このようにして表示メニューの中から使用したい測定治具１５０Ａ−１５０Ｄを簡単に選択することができる。
【００３２】
このような第１実施形態によれば、次の効果を奏することができる。
（１）タッチパネル表示部１３０を採用したことにより、機械式押しボタンを無くすことができた。これにより、厚みを薄くする、部品点数を減らす、重量を軽くする、などの効果を得ることができる。例えば、押しボタンのストロークをとる必要がないので、その分、筐体部１１０の厚みを薄くすることができる。手に持って使用するスモールツールとして、薄化、小型化、軽量化は使用感の向上に直結する。
【００３３】
（２）タッチパネル表示部１３０を採用したことにより、機械式押しボタンが無くなることから、密閉性を高めることができる。すなわち、正面板１１１には、押しボタンを組み付ける孔を設ける必要がない。これにより、防塵、防水構造とすることができ、過酷な環境での使用にも耐久性、信頼性の点で優れた効果を発揮することができる。
【００３４】
（３）正面板１１１の大部分をタッチパネル表示部１３０としたので、表示面積が大きくなり、視認性が向上する。測定値を大きく表示させれば、数値の誤読が無くなる。また、表示面積が大きければ、測定結果以外にも必要な各種の情報を同時に表示できるようになる。従って、測定機能が高度で複雑になったとしても、使いやすい測定器とすることができる。
【００３５】
（４）タッチパネル表示部１３０を採用したことにより、操作性が格段に向上する。
ダイヤルゲージ１００に各種様々な測定治具１５０Ａ−１５０Ｄを取り付けることによって様々な箇所を測定できるようになるが、測定値をユーザが一つ一つ換算するとなると手間が掛かりすぎる。ダイヤルゲージ１００に内蔵している演算回路で演算させることはできるのであるが、少ない押しボタンを使って、どの治具を使用しているのか、どの換算式を使用するか、をダイヤルゲージ１００に設定するのは面倒な作業となっていた。
この点、本実施形態では、タッチパネル表示部１３０による入力操作が可能であるので、タッチ操作で順に画面を切り替えながら項目を選んでいけば、直感的な簡単な操作で入力作業を行うことができる。
従前のごとく取扱説明書を細かく読んで複雑な手順で設定入力をすることに比べれば、本実施形態は格別に優れた操作性を発揮でき、測定作業の簡易化および迅速化に貢献できる。
【００３６】
（５）さらに、表示の向きを縦から横に変えるなど、視認性、使いやすさに配慮した機能を付加することもできる。
表示の向きを変えるといったことは、使いやすさの点では大切である。
しかし、従来の測定器の表示部は７セグメント表示素子を複数桁分並べたものであったため、表示の向きを替えるにしても天地を逆にする程度のことしかできなかった。
この点、本実施形態ではタッチパネル表示部を採用しているので、ドットマトリクス表示を利用して表示内容はもちろん表示の向きも自由自在に替えることができるようになる。
そして、押しボタンを廃止した分タッチパネル表示部の面積が広くなったので縦向きでも横向きでも見やすいように文字や数値を表示することができる。
さらに、タッチパネル表示部１３０による簡単操作であれば、表示の向きを変更するといった設定作業も簡単にできるようになる。
【００３７】
（変形例１）
上記実施形態に、さらに、太陽光発電のためのソーラーパネルを組み込んでもよい。
図９は、モジュールの積層構造を模式的に表した図である。
上から順に、タッチパネル表示部２１０、半透明反射シート２２０、太陽光発電ユニット２３０、電子回路モジュール２４０、が積層されている。
ここで、タッチパネル表示部２１０は、タッチパネル２１１と液晶表示パネル２１２とで構成されているが、液晶表示パネル２１２に変えて有機ＥＬパネルなどの他の表示装置を利用してもよい。
半透明反射シート２２０については、削除することもでき、表示装置の種類や、表示の見やすさなどを考慮して適宜選択すればよい。
また、太陽光発電ユニット２３０は、発電装置としてのソーラーパネル（太陽電池）２３１と、蓄電池ユニット２３２と、で構成されているが、蓄電池ユニット２３２を配置する場所は、ソーラーパネル２３１の背面でなくてもよく、蓄電池を組み込む場所は自由に選択できる。
【００３８】
このようにソーラーパネル２３１をタッチパネル表示部２１０の背面側に組み込む。
ここで、タッチパネル表示部２１０を採用すると、押しボタンを廃止して、タッチパネル表示部２１０の面積を広くできることは第１実施形態で既に説明した通りである。したがって、タッチパネル表示部の背面にあるソーラーパネルの受光面積を格段に広くすることができる。すなわち、タッチパネル表示部２１０とソーラーパネル２３１とを合わせて使用することにより、視認性の向上に加えて、発電機能の向上も図ることができる。
タッチパネル表示部２１０を採用すると、従来よりも消費電力が増大する恐れもあるが、その分は、太陽光発電によって補うことができることになる。
スモールツールでは小型化、軽量化の要請があるので大きなバッテリを組み込むことには限度がある。
この点、タッチパネル表示部２１０とソーラーパネル２３１との組み合わせは、スモールツールに使用すると格別の効果があるといえる。
【００３９】
なお、上記では、ソーラーパネル231をタッチパネル表示部210の背面側に組み込む例を示したが、太陽電池をタッチパネル表示部の正面側に配設してもよい。太陽電池が透明であり、かつ、タッチ入力の妨げにならなければ、タッチパネル表示部の領域を含み、測定器の外側面の広い範囲に渡って太陽電池を設けてもよい。
従来の測定器のように複数の押しボタンがあると筐体部の外側面の広い範囲に渡って太陽電池を設けることは製造上難しかった。
この点、タッチパネル表示部のようにフラットな表面であれば、その上に太陽電池を設けることも可能である。そして、これにより太陽電池による発電量を増大させることができる。
【００４０】
（変形例２）
上記第１実施形態ではダイヤルゲージ１００を例にしたが、スモールツールとしては、マイクロメータやノギスなどがあり、これらにもタッチパネル表示部は適用できる。
図１０は、タッチパネル表示部３３０を有するマイクロメータ３００の例である。
マイクロメータ３００は、本体フレーム３１０と、スピンドル３４０と、シンブル３５０と、を備える。
本体フレーム３１０は、Ｕ字状のアーム部３２０と、アンビル３２１と、スリーブ３２２と、タッチパネル表示部３３０と、を有する。
Ｕ型アーム部３２０の一端にアンビル３２１が設けられており、Ｕ型アーム３２０の他端にスリーブ３２２が設けられている。スピンドル３４０は、スリーブ３２２に螺合されており（螺子は不図示）、回転によって軸方向に進退可能になっている。スピンドル３４０がスリーブ３２２から最も突き出た時には、スピンドル３４０とアンビル３２１とが突き当たるようになっており、ワークをスピンドル３４０とアンビル３２１との間に挟むことによってワークの厚みや幅を測定することができる。シンブル３５０は、本体フレーム３１０の外側で回転可能に設けられており、スピンドル３４０と一体回転するようになっている。
さらに、タッチパネル表示部３３０が本体フレーム３１０の外側面に配置されている。
シンブル３５０を回転させるとスピンドル３４０が回転し、スピンドル３４０がアンビル３２１に対して進退する。スピンドル３４０の進退量はタッチパネル表示部３３０に表示される。
【００４１】
このマイクロメータ３００においても、タッチパネル表示部３３０を採用したことによって機械式の押しボタンを無くすことができ、タッチパネル表示部３３０の表示面積を大きくとることができる。
具体的には、タッチパネル表示部３３０は、Ｕ型アーム部３２０の他端側に配置されている。
このとき、スリーブ３２２の長さを最大限に活用してタッチパネル表示部３３０の横幅Ｌを広く確保している。
また、Ｕ型アーム部３２０の他端側においてＵ字の谷の深さを利用することにより、タッチパネル表示部３３０の縦幅Ｈを長く確保している。
このとき、本体フレーム３１０には押しボタンを設けないので、タッチパネル表示部３３０の面積を最大限広くとることができる。
【００４２】
また、マイクロメータ３００を使用するにあたっても、縦向きや横向きなど方向を変えて使用することが求められる（図１１参照）。この場合、上記第１実施形態と同じようにして、表示の向きを変える操作は容易なことである。
【００４３】
さらに、マイクロメータ３００にあっては、図１２のように右手で使用したい場合と、図１３のように左手で使用したい場合と、がある。
なお、図１２、図１３に示すマイクロメータでは、タッチパネル表示部３３０をスリーブ３２２の側面に設けている点が図１０、図１１のマイクロメータと異なっている。
このような場合に、図１４に示すように、スリーブ３２２を回転軸としてタッチパネル表示部３３０を回転可能に設けておけば、右手で使用する場合（図１２）でも左手で使用する場合（図１３）にも表示内容を見やすくできる。
ここで、スリーブ３２２を回転軸としてタッチパネル表示部３３０を回転させると、タッチパネル表示部３３０の天地が逆になることになる。
このような場合でも、タッチパネル表示部３３０の表示の向きを天地逆にするように表示の向きを変えることは、第１実施形態で説明したように、タッチパネル表示部３３０による入力操作を利用すれば容易なことである。
【００４４】
次に、タッチパネル表示部を有するノギスの例を図１５に示す。
ノギス４００は、よく知られているように、本尺４１０と、本尺４１０の長手方向に沿ってスライド可能に設けられたスライダ４２０と、タッチパネル表示部４３０と、を備えている。
本尺４１０の長手の一端側には、外側測定ジョー４１１と、内側測定ジョー４１２と、が設けられている。
スライダ４２０は、本尺４１０に沿ってスライドするスライダ本体４２１を有し、スライダ本体４２１の一端側には、外側測定ジョー４２２と内側測定ジョー４２３とが設けられている。さらに、タッチパネル表示部４３０が、スライダ本体４２１の外側面に配置されている。本尺４１０の測定ジョー４１１、４１２とスライダ４２０の測定ジョー４２２、４２３との間にワークを挟むと、そのときのスライダ４２０の移動量がタッチパネル表示部４３０に表示される。
【００４５】
このようなノギス４００においても、タッチパネル表示部４３０を採用したことによって機械式押しボタンを無くすことができ、タッチパネル表示部４３０の表示面積を大きくとることができる。具体的には、タッチパネル表示部４３０は、スライダ本体４２１の正面側の側面の約８０％を占める程度の面積を確保することができている。
【００４６】
このような変形例２としてのマイクロメータ３００やノギス４００にあっても、タッチパネル表示部３３０、４３０を採用したことにより、第１実施形態の効果（１）から（５）を奏することができる。
【００４７】
さらに、ダイヤルゲージ１００、マイクロメータ３００およびノギス４００といった多品種を考えることにより、次の効果を奏することができる。
（６）タッチパネル表示部を利用すると、測定器の種類ごとにボタンの数や配置などを考える必要は無くなる。すなわち、ダイヤルゲージ１００でも、マイクロメータ３００でも、ノギス４００でも、品種の違いがあってもボタンの数や配置の違いを考えなくてもよい。
また、測定項目を多種多様に選択できるような高機能品であろうと、単純な測定しかできない低機能品であろうと、ボタンを付加したりする必要はないのであり、単に内部の設定プログラムを変えるだけである。
（なお、押しボタンを設けたとしてもせいぜい電源ボタンぐらいである。さらに、何らかの操作（例えばスピンドルの移動）によって自動的に電源ＯＮになるようにしておけば、電源ボタンも不要になる。）
そして、種類は違っても、スモールツールであれば大きさはおおよそいくつかのパターンに統一されてくるので、表示部のサイズもいくつかのパターンに統一されてくる。
このように考えると、タッチパネル表示部を採用することにより、ダイヤルゲージ１００、マイクロメータ３００およびノギス４００といった多機能多品種に渡ってタッチパネル表示部という部品を共通化することができる。
このように、複数の種類の測定器でタッチパネル表示部を共通化してしまえば、部品種類を減らすことができ、製造コスト、組み立てコストを低減させることができる。
多機能多品種に渡る複数の測定器を製造する場合には大きな利点となる。
さらに、修理等のメンテナンスまで考えると、部品を共通化できるメリットは大きい。
【００４８】
（第２実施形態）
次に、第２実施形態を説明する。
第２実施形態は、ハイトゲージの例である。
ハイトゲージ５００は、図１６に示すように、ベース５１０と、支柱５１１と、スライダ５１２と、測定子５１３と、グリップ部５１４と、表示操作部５２０と、を備えている。
この構成において、スライダ５１２は支柱５１１に沿って上下方向へ昇降可能に設けられており、スライダ５１２の移動とともに測定子５１３が一体的に上下方向に移動する構成である。
【００４９】
支柱５１１において、スライダ５１２が設けられている側とは反対側に表示操作部５２０が設けられているところ、第２実施形態としては、表示操作部５２０の表示面の全面がタッチパネル表示部５３０となっている点に特徴を有する。
図１７は、表示操作部５２０の正面図であり、メイン表示画面の一例を示してある。
表示操作部５２０は、正面から見たときに、その約８０％がタッチパネル表示部５３０となっている。タッチパネル表示部５３０をタッチすることで入力操作ができるので、入力操作用の押しボタンは設けられていない。（ただし、電源ボタン５４０は押しボタンである。）
【００５０】
メイン表示画面における表示項目の配置を簡単に説明する。
メイン表示画面において、上半分は、測定結果等の数値５３１をはっきりと表示するための領域である。
そして、下半分には、測定作業に使用するコマンドを入力するためのアイコンが配置されている。
中段には、測定項目を示す三つのアイコン５３２と、ゼロセット用のアイコン５３３と、が配置されている。さらに、下段には、十字方向の操作５３４、エンター５３５、プリセット５３６、データホールド５３７、キャンセル５３８、モード選択５３９、のための各アイコンが配置されている。
【００５１】
（測定治具と測定項目の選択操作）
ハイトゲージ５００に様々なアタッチメント（測定治具）を付けることによって、様々なワーク（被測定物）の様々な箇所に対応した測定を行うことができる。
図１８は、様々なタイプの測定治具５５０の例である。
測定治具５５０によっては偏心していたり、接触球の半径が異なったりするので、測定に使用する測定治具５５０をハイトゲージ５００に設定する必要がある。
このような場合でも、測定治具５５０の種類がどんなに多いとしても、第１実施形態で説明したように、ゲージ選択のメニュー画面で測定治具を簡単に選ぶことができる。
【００５２】
さらに、図１９は、様々な測定項目の例である。
例えば、ワークＷの外側の幅を測定するとする。
この場合、外側の上面Ｗｔの高さと、外側の下面Ｗｌの高さと、の差Ｈを測定する。
このような測定にあたって、ハイトゲージ５００に予め測定項目として、"ワークの外側の幅"を設定しておく。すると、内部の演算回路が自動的に上面Ｗｔ高さと下面Ｗｌ高さとの差Ｈを算出し、結果をメイン表示画面に表示させる。
【００５３】
そこで、ユーザとしては、測定項目の設定操作を行うことになるが、このような設定作業も容易に行える。
例えば、図１９のように、測定内容が一目で分かるような絵文字アイコン５３２を作っておく。
例えば、アイコン５３２Ａのように、線の上下を矢印で挟んでおけば、外側の幅が測定対象であることが直感的に分かる。
また、アイコン５３２Ｂのように、円の中に直径を示す矢線を配しておけば、孔の内径が測定項目であることが直感的にわかる。
【００５４】
測定項目の選択画面では、図２０のように、測定項目を表す絵文字アイコン５３２を並べて配置しておけばよい。
ユーザは次回の測定で使用する、または、頻繁に使用する測定項目の絵文字アイコン５３２をタッチしていくつか選択する。
このように選択されたアイコン５３２を、例えば、図１７のようにメイン表示画面の中段に表示するようにする。そして、実際に測定作業にあたって、ユーザが測定項目の絵文字アイコン５３２を選んでタッチすればよい。
【００５５】
このように表示操作部５２０をタッチパネルとしたので、多種多様で複雑な機能でも直感的に簡単に使いこなすことができる。特に、絵文字アイコンをタッチするような操作方法は、面倒な一連のコマンドを入力する操作に比べて格段に簡単である。
【００５６】
なお、本発明は上記実施の形態に限られたものではなく、趣旨を逸脱しない範囲で適宜変更することが可能である。
上記実施形態および変形例においては、タッチパネル表示部の採用によって押しボタンを削除できる例を示したが、必要に応じて押しボタンが設けられていてもよいことはもちろんである。
表示の向きを変えるに当たってユーザが表示方向を切り替える操作を行う例を示したが、鉛直方向の検出に応じて表示方向が自動的に変更調整されるようにしてもよい。
またさらに、表示の向きを変えるにあたっては、縦横変更や天地反転に限らず、ドットマトリクス表示を用いた表示方式である利点を活かし、任意の向き（角度）に変更できるようになっていてもよい。
【符号の説明】
【００５７】
１００・・・ダイヤルゲージ、１１０・・・筐体部、１１１・・・正面板、１２０・・・スピンドル、１２１Ａ、１２１Ｂ・・・測定子、１３０・・・タッチパネル表示部、１３１・・・フロント透明板、１３２・・・額縁、１５０Ａ、１５０Ｂ、１５０Ｃ、１５０Ｄ・・・測定治具、２１０・・・タッチパネル表示部、２１１・・・タッチパネル、２１２・・・液晶表示パネル、２２０・・・半透明反射シート、２３０・・・太陽光発電ユニット、２３１・・・ソーラーパネル、２３２・・・蓄電池ユニット、２４０・・・電子回路モジュール、３００・・・マイクロメータ、３１０・・・本体フレーム、３２０・・・U字状アーム部、３２１・・・アンビル、３２２・・・スリーブ、３３０・・・タッチパネル表示部、３４０・・・スピンドル、３５０・・・シンブル、４００・・・ノギス、４１０・・・本尺、４１１・・・外側測定ジョー、４１１・・・測定ジョー、４１２・・・内側測定ジョー、４２０・・・スライダ、４２１・・・スライダ本体、４２２・・・外側測定ジョー、４２２・・・測定ジョー、４２３・・・内側測定ジョー、４３０・・・タッチパネル表示部、５００・・・ハイトゲージ、５１０・・・ベース、５１１・・・支柱、５１２・・・スライダ、５１３・・・測定子、５１４・・・グリップ部、５２０・・・表示操作部、５３０・・・タッチパネル表示部、５４０・・・電源ボタン。
【図１】
2013185990.tif 000003
【図２】
2013185990.tif 000004
【図３Ａ】
2013185990.tif 000005
【図３Ｂ】
2013185990.tif 000006
【図４Ａ】
2013185990.tif 000007
【図４Ｂ】
2013185990.tif 000008
【図４Ｃ】
2013185990.tif 000009
【図５Ａ】
2013185990.tif 000010
【図５Ｂ】
2013185990.tif 000011
【図５Ｃ】
2013185990.tif 000012
【図５Ｄ】
2013185990.tif 000013
【図６Ａ】
2013185990.tif 000014
【図６Ｂ】
2013185990.tif 000015
【図６Ｃ】
2013185990.tif 000016
【図６Ｄ】
2013185990.tif 000017
【図６Ｅ】
2013185990.tif 000018
【図７】
2013185990.tif 000019
【図８Ａ】
2013185990.tif 000020
【図８Ｂ】
2013185990.tif 000021
【図８Ｃ】
2013185990.tif 000022
【図９】
2013185990.tif 000023
【図１０】
2013185990.tif 000024
【図１１】
2013185990.tif 000025
【図１２】
2013185990.tif 000026
【図１３】
2013185990.tif 000027
【図１４】
2013185990.tif 000028
【図１５】
2013185990.tif 000029
【図１６】
2013185990.tif 000030
【図１７】
2013185990.tif 000031
【図１９】
2013185990.tif 000032
【図２０】
2013185990.tif 000033
【図１８】
2013185990.tif 000034